(57)【特許請求の範囲】
【請求項１】
駆動信号が入力されているときにオゾンを生成するオゾン生成部と、消臭開始信号が入力されたときに予め設定された設定時間を上限時間として前記駆動信号を前記オゾン生成部に出力する制御部とを備え、前記生成したオゾンによって消臭対象空間内の臭気成分を消臭する消臭装置であって、
前記制御部は、前記駆動信号を出力している出力期間の時間長に応じて所定の比較対象値を漸増または漸減させ、かつ、前記駆動信号の出力を停止している停止期間の時間長に応じて、前記出力期間の時間長に応じて前記比較対象値を漸増させたときは当該比較対象値を漸減させると共に当該出力期間の時間長に応じて当該比較対象値を漸減させたときは当該比較対象値を漸増させ、さらに、前記出力期間において前記比較対象値が予め設定された基準値に達したときに前記駆動信号の出力を停止することを特徴とする消臭装置。
【請求項２】
前記制御部は、前記設定時間を上限時間として前記駆動信号を生成して前記オゾン生成部に出力する駆動信号生成回路と、前記出力期間において所定の充電用時定数に従い前記駆動信号によって内蔵のコンデンサが充電されると共に前記停止期間に所定の放電用時定数に従い当該コンデンサが放電される充放電回路と、前記比較対象値としての前記コンデンサの充電電圧が前記基準値に達したときに前記駆動信号生成回路に対して前記駆動信号の出力を停止させる制御回路とを備えていることを特徴とする請求項１記載の消臭装置。
【請求項３】
前記制御部は、前記設定時間を上限時間として前記駆動信号を生成して前記オゾン生成部に出力する駆動信号生成回路と、カウント用クロックを生成するクロック生成回路と、前記出力期間において前記比較対象値としてのカウント値を前記カウント用クロックに同期して増加または減少させ、かつ、前記停止期間において、前記出力期間に前記カウント値を増加させたときは当該カウント値を前記カウント用クロックに同期して減少させると共に当該出力期間に当該カウント値を減少させたときは当該カウント値を当該カウント用クロックに同期して増加させるアップダウンカウンタと、前記カウント値が前記基準値に達したときに前記駆動信号生成回路に対して前記駆動信号の出力を停止させる制御回路とを備えていることを特徴とする請求項１記載の消臭装置。
【請求項４】
前記クロック生成回路は、前記カウント用クロックとして周波数が互いに異なる第１および第２のクロックを生成し、前記アップダウンカウンタは、前記出力期間において前記第１のクロックに同期して前記カウント値を増加または減少させ、かつ、前記停止期間において、前記出力期間に前記カウント値を増加させたときは前記第２のクロックに同期して当該カウント値を減少させると共に当該出力期間に当該カウント値を減少させたときは当該第２のクロックに同期して当該カウント値を増加させることを特徴とする請求項３記載の消臭装置。
【請求項５】
前記第１のクロックは、前記第２のクロックの周波数よりも高い周波数に規定されていることを特徴とする請求項４記載の消臭装置。
【請求項６】
前記消臭対象空間内における移動物体の滞在および不在を検出するセンサを備え、前記制御部は、前記センサによって前記移動物体の滞在が検出された後に前記消臭開始信号としての不在検出信号が入力されたときに前記駆動信号を前記オゾン生成部に出力することを特徴とする請求項１から５のいずれかに記載の消臭装置。
【発明の詳細な説明】
【０００１】
【発明の属する技術分野】
本発明は、オゾン生成部を備え、このオゾン生成部によって生成されたオゾンを消臭対象空間に放出して、この消臭対象空間内の臭気成分を消臭処理する消臭装置に関するものである。
【０００２】
【従来の技術】
この種の消臭装置として、図７に示す消臭装置５１が従来から知られている。この消臭装置５１は、オゾン生成部３、オゾン分解用触媒５２、ファン２、および、これらを収納する装置ケース７を備え、消臭対象空間内に設置可能に構成されている。この場合、装置ケース７には、吸気口５と排気口６とが形成されている。また、オゾン生成部３は、例えば、高電圧を利用してオゾンを生成可能に構成されている。また、オゾン分解用触媒５２は、活性炭、マンガン、チタンまたは銀等を用いて構成され、オゾンを分解する機能を有する。
【０００３】
この消臭装置５１では、ファン２が駆動されると、装置ケース７内の空気が排気口６から排出されるため、装置ケース７の内部が負圧となる。このため、消臭対象空間内の空気が吸気口５を介して装置ケース７の内部に吸入される。この際に、装置ケース７の内部に吸入された空気は、オゾン生成部３によって生成されたオゾンの濃度が高いオゾン領域Ａ、オゾン分解用触媒５２の内部、ファン２、および排気口６を経由して消臭対象空間内に放出される。この場合、装置ケース７内に吸入された空気がオゾン領域Ａを通過する際には、吸入された空気に含まれている臭気成分とオゾンとが反応することにより、この臭気成分が非臭気成分に変化して消臭される。また、オゾン領域Ａを通過した空気がオゾン分解用触媒５２を通過する際には、オゾン分解用触媒５２が、通過する空気に含まれている残留オゾンを分解して無害化する。この結果、無害化されると共に消臭された空気が、ファン２の送風圧によって排気口６を介して消臭対象空間内に放出される。
【０００４】
ところが、この消臭装置５１には、短寿命のオゾン分解用触媒５２を頻繁に交換する必要があり、この交換作業が極めて煩雑であるという問題点が存在する。そこで、この点を解決するために、図８に示す消臭装置６１が開発されている。なお、上述した消臭装置５１と同一の構成要素については同一の符号を付し、重複する説明は省略する。この消臭装置６１は、ファン２、オゾン生成部３、オゾン測定部６２、制御部６３、および、これらを収納する装置ケース７を備えている。この場合、オゾン測定部６２は、半導体式オゾンセンサや紫外線吸収式オゾンセンサを用いて構成され、消臭対象空間内のオゾン濃度を測定する。
【０００５】
この消臭装置６１では、制御部６３が、オゾン生成部３を作動させて装置ケース７内部にオゾンを生成させる。この際に、生成されたオゾンは、ファン２によって排気口６を介して消臭対象空間内に放出される。次いで、放出されたオゾンは、消臭対象空間内の臭気成分と化学反応することにより、臭気成分を消臭する。一方、オゾン測定部６２は、消臭対象空間内のオゾン濃度を常時測定し、その測定値を制御部６３に出力する。また、制御部６３は、その測定値に基づいて、オゾン生成部３によって生成されるオゾン量を制御することにより、消臭対象空間内のオゾン濃度を予め決められた基準濃度範囲内に維持する。具体的には、制御部６３は、測定値が基準濃度範囲の上限に達したときには、オゾン生成部３によるオゾン生成動作を停止させ、測定値が基準濃度範囲の下限に低下したときには、オゾン生成部３に対してオゾンを生成させる。この結果、制御部６３によるオゾン生成部３に対する制御が繰り返されることにより、消臭対象空間内のオゾン濃度が基準濃度範囲内に維持される。したがって、この消臭装置６１によれば、オゾン分解用触媒５２を用いることなく、消臭対象空間内の臭気成分を消臭することができると共にオゾン分解用触媒５２の交換を不要にすることができる。
【０００６】
【発明が解決しようとする課題】
ところが、この消臭装置６１にも、以下の問題点がある。すなわち、消臭装置６１では、消臭対象空間内のオゾン濃度を測定するためのオゾン測定部６２を必須要件としている。この場合、オゾン測定部６２は、一般的には、高価なオゾンセンサを用いて構成されている。このため、従来の消臭装置６１には、オゾンセンサが消臭装置全体としてのコストを高騰させる要因になっているという問題点がある。
【０００７】
本発明は、かかる問題点に鑑みてなされたものであり、人体に安全で、しかも低コストの消臭装置を提供することを主目的とする。
【０００８】
【課題を解決するための手段】
上記目的を達成すべく請求項１記載の消臭装置は、駆動信号が入力されているときにオゾンを生成するオゾン生成部と、消臭開始信号が入力されたときに予め設定された設定時間を上限時間として前記駆動信号を前記オゾン生成部に出力する制御部とを備え、前記生成したオゾンによって消臭対象空間内の臭気成分を消臭する消臭装置であって、前記制御部は、前記駆動信号を出力している出力期間の時間長に応じて所定の比較対象値を漸増または漸減させ、かつ、前記駆動信号の出力を停止している停止期間の時間長に応じて、前記出力期間の時間長に応じて前記比較対象値を漸増させたときは当該比較対象値を漸減させると共に当該出力期間の時間長に応じて当該比較対象値を漸減させたときは当該比較対象値を漸増させ、さらに、前記出力期間において前記比較対象値が予め設定された基準値に達したときに前記駆動信号の出力を停止することを特徴とする。
【０００９】
請求項２記載の消臭装置は、請求項１記載の消臭装置において、前記制御部は、前記設定時間を上限時間として前記駆動信号を生成して前記オゾン生成部に出力する駆動信号生成回路と、前記出力期間において所定の充電用時定数に従い前記駆動信号によって内蔵のコンデンサが充電されると共に前記停止期間に所定の放電用時定数に従い当該コンデンサが放電される充放電回路と、前記比較対象値としての前記コンデンサの充電電圧が前記基準値に達したときに前記駆動信号生成回路に対して前記駆動信号の出力を停止させる制御回路とを備えていることを特徴とする。
【００１０】
請求項３記載の消臭装置は、請求項１記載の消臭装置において、前記制御部は、前記設定時間を上限時間として前記駆動信号を生成して前記オゾン生成部に出力する駆動信号生成回路と、カウント用クロックを生成するクロック生成回路と、前記出力期間において前記比較対象値としてのカウント値を前記カウント用クロックに同期して増加または減少させ、かつ、前記停止期間において、前記出力期間に前記カウント値を増加させたときは当該カウント値を前記カウント用クロックに同期して減少させると共に当該出力期間に当該カウント値を減少させたときは当該カウント値を当該カウント用クロックに同期して増加させるアップダウンカウンタと、前記カウント値が前記基準値に達したときに前記駆動信号生成回路に対して前記駆動信号の出力を停止させる制御回路とを備えていることを特徴とする。
【００１１】
請求項４記載の消臭装置は、請求項３記載の消臭装置において、前記クロック生成回路は、前記カウント用クロックとして周波数が互いに異なる第１および第２のクロックを生成し、前記アップダウンカウンタは、前記出力期間において前記第１のクロックに同期して前記カウント値を増加または減少させ、かつ、前記停止期間において、前記出力期間に前記カウント値を増加させたときは前記第２のクロックに同期して当該カウント値を減少させると共に当該出力期間に当該カウント値を減少させたときは当該第２のクロックに同期して当該カウント値を増加させることを特徴とする。
【００１２】
請求項５記載の消臭装置は、請求項４記載の消臭装置において、前記第１のクロックは、前記第２のクロックの周波数よりも高い周波数に規定されていることを特徴とする。
【００１３】
請求項６記載の消臭装置は、請求項１から５のいずれかに記載の消臭装置において、前記消臭対象空間内における移動物体の滞在および不在を検出するセンサを備え、前記制御部は、前記センサによって前記移動物体の滞在が検出された後に前記消臭開始信号としての不在検出信号が入力されたときに前記駆動信号を前記オゾン生成部に出力することを特徴とする。
【００１５】
【発明の実施の形態】
以下、添付図面を参照して、本発明に係る消臭装置の好適な実施の形態について説明する。なお、上記した消臭装置５１，６１と同一の構成要素については同一の符号を付し、重複する説明は省略する。
【００１６】
消臭装置１は、例えば、臭気成分が発生するトイレなどの消臭対象空間内に設置可能に構成され、図１に示すように、ファン２、オゾン生成部３、制御部４、トリガ生成部８、および、これらを収納する装置ケース７とを備え、消臭処理のほか、エチレンなどの有機化合物の分解処理、殺菌処理等が可能に構成されている。この場合、装置ケース７には、吸気口５と排気口６とが設けられている。また、オゾン生成部３は、制御部４から駆動信号ＳO が出力されているときに作動してオゾンを生成する。同様に、ファン２も、駆動信号ＳO が出力されているときに作動して、オゾン生成部３によって生成されたオゾンを排気口６を介して消臭対象空間に放出する。また、トリガ生成部８は、消臭対象空間における人の滞在および不在を検出する人体センサを備えて構成され、不在を検出したときに消臭開始信号としてのトリガ信号ＳT を生成して出力する。
【００１７】
制御部４は、タイマ（駆動信号生成回路）４ａ、積分回路（充放電回路）４ｂ、およびコンパレータ（制御回路）４ｃを備えている。この場合、タイマ４ａは、ＳＴＡＲＴ端子にトリガ信号ＳT が入力された時点で駆動信号ＳO をＯＵＴ端子から出力すると共に、駆動信号ＳO を出力する出力期間の時間を計測し、その計測時間が予め設定された設定時間に達した時点またはＳＴＯＰ端子にリセット信号ＳR が入力された時点で駆動信号ＳO の出力を停止する。なお、タイマ４ａの設定時間は、図外の操作スイッチによって例えば１分から３０分の間の任意の時間に設定される。また、積分回路４ｂは、一例として抵抗ＲとコンデンサＣとで構成される。この場合、積分回路４ｂでは、駆動信号ＳO が出力される出力期間において、抵抗Ｒを介して入力される駆動信号ＳO によってコンデンサＣが充電される。一方、コンデンサＣは、駆動信号ＳO の出力が停止される停止期間において、抵抗Ｒおよびタイマ４ａのＯＵＴ端子を介してタイマ４ａ内に充電エネルギーを放出して放電する。また、コンパレータ４ｃは、比較対象値としてのコンデンサＣの充電電圧Ｖｃと基準値としての基準電圧ＶREF とを比較し、充電電圧Ｖｃが基準電圧ＶREF に達した時点でリセット信号ＳR をタイマ４ａのＳＴＯＰ端子に出力する。ここで、基準電圧ＶREF の電圧値は、駆動信号ＳO の電圧値のほぼ６３％の値に規定されている。したがって、コンパレータ４ｃは、コンデンサＣの容量および抵抗Ｒの抵抗値に基づく時定数に相当する時間だけコンデンサＣが連続的に充電されたときに、リセット信号ＳR を出力する。この場合、その時定数は、消臭装置１によってオゾンを連続して消臭対象空間に放出した場合に、人体にとって安全なオゾン濃度の上限値に達するまでに要する時間と等しい時間に規定されている。
【００１８】
この消臭装置１では、トリガ生成部８は、消臭対象空間において人が滞在している状態から不在の状態に移行した時点で、トリガ信号ＳT を生成して出力し、滞在状態に移行した時点で、トリガ信号ＳT の出力を停止する。一方、タイマ４ａは、トリガ信号ＳT が出力された時点で駆動信号ＳO の出力を開始する。また、ファン２およびオゾン生成部３は、駆動信号ＳO が出力されている間だけそれぞれ連続的に作動する。これにより、オゾン生成部３によって生成されたオゾンが、無人となった消臭対象空間に放出される。この場合、駆動信号ＳO が積分回路４ｂにも入力され、積分回路４ｂ内のコンデンサＣは、抵抗Ｒを介して入力される駆動信号ＳO によって充電される。したがって、コンデンサＣの充電電圧（比較対象値）Ｖｃは、図２に示すように、コンデンサＣおよび抵抗Ｒの時定数による充電用時定数に従って次第に上昇する（漸増する）。その後、タイマ４ａは、計測時間が設定時間に達した時点で、駆動信号ＳO の出力を停止する。これにより、消臭対象空間へのオゾンの放出が停止される。同時に、コンデンサＣは、この駆動信号ＳO が出力されない停止期間において、既に充電されている電荷を抵抗Ｒを介してタイマ４ａ内に放電する。したがって、この停止期間では、コンデンサＣの充電電圧Ｖｃが、図２に示すように、コンデンサＣおよび抵抗Ｒによる放電用時定数に従って徐々に低下する（漸減する）。
【００１９】
この後、図２に示すように、消臭対象空間内で人が不在となる都度、タイマ４ａから駆動信号ＳO が出力されてオゾン生成部３によって設定時間だけオゾンが生成される。一方、不在期間が短い状態で人の滞在および不在が頻繁に繰り返される場合、消臭対象空間内のオゾン濃度が次第に上昇する。同時に、図２に示すように、コンデンサＣの充電電圧Ｖｃも上昇および低下を繰り返しながら徐々に上昇する。次いで、出力期間において充電電圧Ｖｃが基準電圧ＶREF に達した際には、コンパレータ４ｃがリセット信号ＳR をタイマ４ａに出力する。このため、タイマ４ａは、リセット信号ＳR の入力時点で、駆動信号ＳO の出力を強制的に停止させる。これにより、オゾン生成部３によるオゾン生成動作も強制的に停止される。この結果、消臭対象空間内のオゾン濃度は、人体にとって安全な濃度上限値以下に制限される。
【００２０】
このように、この消臭装置１では、制御部４が、オゾン生成部３に対してオゾンを設定時間分だけ人の不在時に放出させ、オゾン放出量が人体にとって安全なオゾン濃度の上限値に近づいた時点でオゾン生成部３によるオゾンの放出を停止させる。この結果、この消臭装置１によれば、人体の安全を維持しつつ、消臭対象空間内を消臭することができる。また、オゾン分解用触媒を使用しないため、煩雑な交換作業を不要にすることができると共に、高価なオゾンセンサを使用しないため、消臭装置１の製造コストを低減することができる。なお、コンデンサＣを充電する際の充電用時定数と、コンデンサＣを放電する際の放電用時定数とを別個独立して規定することもできる。具体的には、消臭対象空間のオゾン濃度は、オゾンの放出によって増加し、放出を停止した状態では消臭の際の分解や自然消滅によって次第に低下する。したがって、オゾン放出時におけるオゾン濃度上昇率と、コンデンサＣを充電する際の充電用時定数とを対応させ、かつオゾン消滅時におけるオゾン濃度低下率と、コンデンサＣを放電する際の放電用時定数とを対応させる。このように両時定数を規定することにより、比較対象値としての充電電圧Ｖｃの電圧値と消臭対象空間のオゾン濃度とを対応させることができる結果、消臭対象空間内に放出するオゾン量を人体にとって安全な濃度上限値以下に確実に制限することができる。
【００２１】
次に、他の実施の形態に係る消臭装置１１について、図１，３，４を参照して説明する。
【００２２】
図１に示す消臭装置１１は、消臭装置１の制御部４に代えて、図３に示す制御部１４を備えて構成されている。なお、他の構成要素については、消臭装置１の対応する構成要素と同一の機能を有しているため、重複する説明を省略する。この制御部１４は、タイマ４ａ、セレクタ１４ｂ、アップダウンカウンタ１４ｃ、コンパレータ（制御回路）１４ｄおよびクロック生成回路１４ｅを備えている。この場合、クロック生成回路１４ｅは、第１のクロックＣＬＫ１および第２のクロックＣＬＫ２を生成してセレクタ１４ｂに出力する。なお、第１のクロックＣＬＫ１の周波数は、第２のクロックＣＬＫ２の周波数よりも高く規定されている。セレクタ１４ｂは、アップダウンカウンタ１４ｃに対して、第１のクロックＣＬＫ１を出力期間に出力し、第２のクロックＣＬＫ２を停止期間に出力する。アップダウンカウンタ１４ｃは、初期値を値０として、出力期間には第１のクロックＣＬＫ１に同期してカウントアップ動作（漸増動作）を行い、停止期間には第２のクロックＣＬＫ２に同期してカウントダウン動作（漸減動作）を行う。したがって、アップダウンカウンタ１４ｃによるカウント動作は、出力期間では速く、逆に、停止期間では遅くなる。コンパレータ１４ｄは、比較対象値としてのアップダウンカウンタ１４ｃのカウント値を入力すると共にそのカウント値と予め設定された基準値とを比較し、カウント値が基準値に達した時点で、リセット信号ＳR をタイマ４ａのＳＴＯＰ端子に出力する。
【００２３】
なお、両クロックＣＬＫ１，ＣＬＫ２の周波数、およびコンパレータ１４ｄの基準値は、オゾン生成部３によって生成されるオゾン量を放出したときに消臭対象空間内でのオゾン濃度が上限値に達するまでの時間と、オゾン濃度が上限値から０ｐｐｍのオゾン濃度に低下するまでに要する時間とに基づいて、例えばそれぞれ１Ｈｚおよび０．２Ｈｚに予め規定されている。具体的には、例えば、オゾン濃度がオゾン放出開始時点から上限値に達するまでに１０分間を要し、オゾン放出停止時点から０ｐｐｍのオゾン濃度に低下するまでに５０分を要する場合、第１のクロックＣＬＫ１の周波数を第２のクロックＣＬＫ２の周波数の５倍に規定することにより、アップダウンカウンタ１４ｃのカウント値と消臭対象空間内のオゾン濃度とがほぼ対応関係を有することになる。また、一例として第１のクロックＣＬＫ１の周波数を１Ｈｚとした場合、コンパレータ１４ｄの基準値を６００（＝６０×１０）に設定する。これにより、コンパレータ１４ｄの基準値と、オゾン濃度の上限値とが対応する結果、後述するように、消臭対象空間内のオゾン濃度が上限値以下に制限される。
【００２４】
この消臭装置１１では、消臭装置１と同様にして、タイマ４ａが、トリガ信号ＳT を入力した時点で駆動信号ＳO の出力を開始し、ファン２およびオゾン生成部３が、駆動信号ＳO が出力されている間だけそれぞれ連続的に作動する。また、アップダウンカウンタ１４ｃは、図４に示すように、出力期間（オゾンの発生期間）において、第１のクロックＣＬＫ１に同期してアップカウントし、停止期間において、第２のクロックＣＬＫ２に同期してダウンカウントする。この後、消臭対象空間内での人の滞在および不在に応じて、この動作が繰り返される。一方、アップダウンカウンタ１４ｃのカウント値が基準値に達したときには、コンパレータ１４ｄによってリセット信号ＳR が出力されて、タイマ４ａが、駆動信号ＳO を強制的に停止させる。これにより、消臭装置１１によるオゾンの放出が停止される。この場合、カウント値が消臭対象空間のオゾン濃度に対応して変化し、かつ、コンパレータ１４ｄの基準値が消臭対象空間におけるオゾン濃度の上限値に対応しているため、オゾン濃度が上限値に達した時点で、オゾンの放出が停止される。したがって、消臭装置１と同様にして、消臭対象空間のオゾン濃度を一定の濃度（濃度上限値）以下に制限しつつ、消臭対象空間内を消臭することができる。
【００２５】
次に、さらに他の実施の形態に係る消臭装置２１について説明する。なお、上述した消臭装置１と同一の構成については同一の符号を付し、重複する説明は省略する。
【００２６】
消臭装置２１は、図５に示すように、ファン２、オゾン生成部３、制御部２４、トリガ生成部８、および、これらを収納する装置ケース７とを備えている。この場合、制御部２４は、ＣＰＵ（若しくはＤＳＰ）と内部メモリとを備え、トリガ生成部８からトリガ信号ＳT が出力されたときに駆動信号ＳO を出力する。また、制御部２４は、駆動信号ＳO の出力開始時間と出力終了時間（つまり、オゾン生成の開始時間と終了時間）とを内部メモリに順次記憶する。さらに、制御部２４は、一回のオゾン放出による消臭対象空間内におけるオゾン濃度の過剰な上昇を防止するために、トリガ信号ＳT が１回出力された際に駆動信号ＳO を連続的に出力する連続出力時間の上限時間を、例えば設定スイッチによって予め設定された設定時間に制限する。
【００２７】
この消臭装置２１でも、消臭装置１と同様にして、トリガ生成部８が、人の不在期間においてトリガ信号ＳT を出力し、制御部２４が、トリガ生成部８によってトリガ信号ＳT が出力された時点で駆動信号ＳO の出力を開始する。この場合、この消臭装置２１では、制御部２４が、図６に示すように、トリガ信号ＳT を入力した際に、単位時間Ｔｔ（例えば６０分とする）の終点と起点とを設定する。具体的には、例えば、現時点（トリガ信号ＳT の入力時）から設定時間Ｔｆ（例えば３分とする）を経過する時点を終点とし、その終点から単位時間Ｔｔだけ過去に遡った時点を起点とする。
【００２８】
次に、制御部２４は、現時点から時間Ｔｐ（Ｔｔ−Ｔｆと等しい）以前の過去に出力した駆動信号ＳO の出力積算時間を、内部メモリに記憶した過去の駆動信号ＳO の開始時間と終了時間とに基づいて演算する。次いで、演算した出力積算時間と、予め設定された制限時間（設定時間よりも長い時間であって例えば１０分とする）とを比較し、現時点（トリガ信号ＳT の入力時）で出力可能な駆動信号ＳO の時間を決定する。この場合、制御部２４は、出力積算時間が制限時間を既に超えているときには、駆動信号ＳO の出力を停止する。また、出力積算時間が制限時間を超えずに、出力積算時間と制限時間との差が設定時間長（３分）を超えているときには、設定時間だけ駆動信号ＳO を出力する。一方、出力積算時間が制限時間を超えずに、出力積算時間と制限時間との差が設定時間を超えていないときには、出力積算時間と制限時間との差に相当する時間だけ駆動信号ＳO を出力する。例えば、図６に示すように、時間Ｔｐ内で既に出力した各駆動信号ＳO の出力積算時間が９分であって、制限時間（この例では１０分）との差が１分のときには、制御部２４は、現時点時から駆動信号ＳO を１分間だけ出力する。
【００２９】
このように、この消臭装置２１によれば、トリガ信号ＳT が入力される都度、制御部２４が、単位時間Ｔｔ当たりに出力される駆動信号ＳO の出力積算時間が制限時間を超えないように駆動信号ＳO の出力時間を制御することにより、単位時間Ｔｔ当たりにおいてオゾン生成部３によって放出されるオゾン量を一定範囲内に制限することができる。したがって、消臭対象空間内でのオゾン濃度を人体にとって安全なオゾン濃度範囲内に制限しつつ、消臭対象空間内を臭気することができる。
【００３０】
なお、本発明は、上記した各実施の形態に限らず、適宜変更が可能である。例えば、トリガ生成部８は、消臭開始信号が不定期に出力する任意の構成を採用することができる。具体的には、人体センサに限らず、装置ケース７に配設した操作スイッチを備え、操作スイッチが押されたときにトリガ信号ＳT を出力する構成を採用することができる。さらに、消臭装置２１の構成において、起点、終点、および単位時間Ｔｔの時間長は、その設定手順が一定である限り、適宜変更することができる。
【００３１】
【発明の効果】
以上のように、請求項１〜３記載の消臭装置によれば、制御部が、出力期間の時間長に応じて比較対象値を漸増（または漸減）させると共に停止期間の時間長に応じて比較対象値を漸減（または、比較対象値を漸減させたときは漸増）させ、かつ、出力期間において比較対象値が基準値に達したときに駆動信号の出力を停止することにより、消臭対象空間に放出するオゾンの量を制御することができる結果、消臭対象空間内のオゾン濃度を確実に制御することができる。したがって、オゾン分解用触媒やオゾンセンサを使用することなく、人体に対する安全を確保しつつ消臭対象空間を消臭することができると共に、オゾン分解用触媒やオゾンセンサを使用しないため、煩雑なオゾン分解用触媒の交換作業を不要にすることができると共に装置のコストを低減することができる。
【００３２】
さらに、請求項４または５記載の消臭装置によれば、アップダウンカウンタが、出力期間において第１のクロックに同期してカウント値を増加（または減少）させると共に停止期間において第２のクロックに同期してカウント値を減少（または、第１のクロックに同期してカウント値を減少させたときは増加）させることにより、出力期間中における比較対象値の増加率と停止期間中における比較対象値の減少率とを任意に設定することができる。したがって、オゾン放出時におけるオゾン濃度上昇率にカウント値の増加率（または減少率）が対応し、かつ、オゾン消滅時におけるオゾン濃度低下率にカウント値の減少率（または増加率）が対応するように、両クロックの周波数を規定することで、比較対象値としてのカウント値と消臭対象空間のオゾン濃度とを対応させることができる結果、カウント値が基準値に達したときに駆動信号生成回路に対して駆動信号の出力を停止させることにより、消臭対象空間内に放出するオゾン量を人体にとって安全な濃度上限値以下に確実に制限することができる。
【００３３】
さらに、請求項６記載の消臭装置によれば、消臭対象空間に人が滞在していないときにオゾンを放出するため、安全性を高めることができる。
【図面の簡単な説明】
【図１】本発明の実施の形態に係る消臭装置１の構成を示すブロック図である。
【図２】消臭装置１における制御部４の動作を説明するためのタイミング図である。
【図３】本発明の実施の形態に係る消臭装置１１における制御部１４の構成を示すブロック図である。
【図４】消臭装置１１における制御部１４の動作を説明するためのタイミング図である。
【図５】本発明の実施の形態に係る消臭装置２１の構成を示すブロック図である。
【図６】消臭装置２１における制御部２４の動作を説明するためのタイミング図である。
【図７】従来の消臭装置５１の構成を示すブロック図である。
【図８】従来の他の消臭装置６１の構成を示すブロック図である。
【符号の説明】
１，１１，２１  消臭装置
３  オゾン生成部
４，１４，２４  制御部
４ａ  タイマ
４ｂ  積分回路
４ｃ  コンパレータ
８  トリガ生成部
１４ｃ  アップダウンカウンタ
１４ｄ  コンパレータ
１４ｅ  クロック生成回路
Ｃ  コンデンサ
ＳO   駆動信号
ＳT   トリガ信号
Ｖｃ  充電電圧
ＶREF   基準電圧
【図１】
0004723074.tif 000002
【図２】
0004723074.tif 000003
【図３】
0004723074.tif 000004
【図４】
0004723074.tif 000005
【図５】
0004723074.tif 000006
【図６】
0004723074.tif 000007
【図７】
0004723074.tif 000008
【図８】
0004723074.tif 000009